(57)【要約】      （修正有）【課題】搬送読取方式で原稿を読み取っている際に原稿搬送部内で紙詰まりが発生した場合に、残りの原稿を原稿毎にユーザーが指定する原稿固定読取または原稿搬送読取の読み取り方法のいずれか適切な方法で読み取るとともに、読み取った複数の画像からなる１つの画像データを生成することを可能にする。【解決手段】画像読取装置は、原稿トレイ、原稿搬送部、コンタクトガラス、画像読取部、記憶部、動作制御部、受付部、およびジャム検出部を備える。動作制御部は、原稿搬送読取の際にジャム検出部が紙詰まりを検出した場合、通常読み取りモードまたは連続読み取りモードの何れの動作モードが設定されているのかを判別し、通常読み取りモードが設定されているときには、動作モードを通常読み取りモードから連続読み取りモードへ切り替えて、その後原稿搬送読取または原稿固定読取により画像読取部に原稿を読み取らせる。【選択図】図５
2018037899.tif 000002
【特許請求の範囲】
【請求項１】
原稿トレイと、
前記原稿トレイに載置された１枚または複数枚の原稿を１枚ずつ予め定められた読取位置へ搬送する原稿搬送部と、
前記読取位置とは異なる位置に配置され、１枚の原稿が載置されるコンタクトガラスと、
画像読取センサーを有し、前記画像読取センサーを前記読取位置に固定した状態で前記原稿搬送部により搬送されて前記読取位置を通過する原稿の画像を読み取る原稿搬送読取、および前記画像読取センサーを副走査方向に往復移動させて前記コンタクトガラスに載置された原稿の画像を読み取る原稿固定読取が可能な画像読取部と、
前記画像読取部が読み取った原稿の画像からなる画像データを記憶する記憶部と、
前記原稿搬送部による原稿の搬送動作および前記画像読取部による原稿の読取動作を制御する動作制御部であって、１回の前記原稿搬送読取または前記原稿固定読取により前記画像読取部が読み取った原稿の画像からなる画像データを前記記憶部に記憶させる通常読み取りモード、および前記原稿搬送部と前記画像読取部とを制御して前記原稿搬送読取または前記原稿固定読取を指定された回数行わせ、前記指定された回数の前記原稿搬送読取または前記原稿固定読取により前記画像読取部が読み取った原稿の画像からなる画像データを前記記憶部に記憶させる連続読み取りモードを有する動作制御部と、
前記動作制御部が前記通常読み取りモードまたは前記連続読み取りモードの何れの動作モードで動作するのかを設定する動作設定を受け付ける受付部と、
前記原稿搬送部内の紙詰まりの発生および解除を検出するジャム検出部と、を備え、
前記動作制御部は、前記原稿搬送読取の際に前記ジャム検出部が前記紙詰まりの発生を検出した場合、前記通常読み取りモードまたは前記連続読み取りモードの何れの動作モードが設定されているのかを判別し、前記通常読み取りモードが設定されているときには、動作モードを前記通常読み取りモードから前記連続読み取りモードへ切り替えて、その後ユーザーからの指示に応じて前記原稿搬送読取または前記原稿固定読取により前記画像読取部に原稿を読み取らせる、画像読取装置。
【請求項２】
前記原稿搬送読取の際に前記紙詰まりが発生して、動作モードが前記通常読み取りモードから前記連続読み取りモードへ切り替わった場合に、動作モードが前記連続読み取りモードへ切り替わり、前記原稿搬送読取に加えて前記原稿固定読取により原稿の読み取りが可能になった旨を報知する報知部を更に備える、請求項１に記載の画像読取装置。
【請求項３】
前記動作制御部は、前記原稿搬送読取の際に前記紙詰まりが発生して、動作モードが前記通常読み取りモードから前記連続読み取りモードへ切り替わった場合において、前記通常読み取りモードで前記画像読取部が読み取った原稿の画像、および前記連続読み取りモードで前記画像読取部が読み取った原稿の画像からなる画像データを前記記憶部に記憶させる、請求項１または請求項２に記載の画像読取装置。
【請求項４】
前記動作制御部は、前記原稿搬送読取の際に前記紙詰まりが発生して、動作モードが前記通常読み取りモードから前記連続読み取りモードへ切り替わった場合において、前記画像読取部による原稿の読み取りが終了したときには、動作モードを前記通常読み取りモードに戻す、請求項１乃至請求項３の何れか１項に記載の画像読取装置。
【請求項５】
前記動作制御部は、前記原稿搬送読取の際に前記紙詰まりが発生して、動作モードが前記通常読み取りモードから前記連続読み取りモードへ切り替わった場合、切り替え直後の一枚の原稿の読み取りにおいて、前記原稿搬送読取による読み取りを制限して、前記画像読取部に前記原稿固定読取により原稿を読み取らせる、請求項１乃至請求項４の何れか１項に記載の画像読取装置。
【請求項６】
請求項１乃至請求項５の何れか１項に記載の画像読取装置と、
前記画像読取装置が読み取った原稿の画像からなる画像データに基づき、記録媒体上に画像を形成する画像形成部と、を備える画像形成装置。
【発明の詳細な説明】
【技術分野】
【０００１】
本発明は、原稿を読取位置へ搬送して読み取る搬送読取機能とコンタクトガラスに載置された原稿を読み取る固定読取機能とを備えた画像読取装置、および当該画像読取装置を備えた画像形成装置に関する。
【背景技術】
【０００２】
原稿の読取方式には、搬送読取方式と固定読取方式の２つの方式がある。搬送読取方式は、読取ユニット（画像読取部）を予め定められた読取位置に固定した状態で、原稿搬送部により当該読取位置へ原稿を搬送させることで、原稿の画像を読み取る方式である。また、固定読取方式は、読取ユニットを副走査方向に往復移動させることで、コンタクトガラスに載置された原稿の画像を読み取る方式である。
【０００３】
ここで、搬送読取方式で原稿を読み取っている際に、原稿搬送部内で紙詰まりが発生する場合がある。この場合、ユーザーは、紙詰まりを解消させてから再度残りの原稿を原稿搬送部にセットさせて搬送させる必要がある。下記の特許文献１や特許文献２には、紙詰まりが発生した場合に、原稿の読み取り方式を搬送読取方式から固定読取方式へ切り替える技術が開示されている。当該技術によれば、ユーザーが紙詰まりを解消させることなく、残りの原稿を読み取らせることが可能になる。
【先行技術文献】
【特許文献】
【０００４】
【特許文献１】特開平６−２０５１６７号公報
【特許文献２】特開平１０−２７１２８７号公報
【発明の概要】
【発明が解決しようとする課題】
【０００５】
しかしながら、上記の特許文献１や特許文献２に開示される技術では、固定読取方式で残りの原稿を読み取らせた場合、原稿の読み取り毎に１枚の原稿からなる画像データが生成されてしまい、複数の原稿の画像からなる１つの画像データを生成することができない。また、上記の特許文献１や特許文献２に開示される技術では、原稿毎に適切な読み取り方式で原稿の読み取りを行うことができない。具体的には、紙詰まりにより傷ついた原稿については、再度紙詰まりを引き起こす可能性があるために固定読取方式で読み取るが、その他の傷ついていない原稿については、搬送読取方式で読み取るといったことができない。
【０００６】
本発明は上記の事情に鑑みなされたものであり、搬送読取方式で原稿を読み取っている際に原稿搬送部内で紙詰まりが発生した場合に、残りの原稿を原稿毎にユーザーが指定する原稿固定読取または原稿搬送読取の読み取り方法のいずれか適切な方法で読み取るとともに、読み取った複数の画像からなる１つの画像データを生成することを可能にすることを目的とする。
【課題を解決するための手段】
【０００７】
本発明における画像読取装置は、原稿トレイと、前記原稿トレイに載置された１枚または複数枚の原稿を１枚ずつ予め定められた読取位置へ搬送する原稿搬送部と、前記読取位置とは異なる位置に配置され、１枚の原稿が載置されるコンタクトガラスと、画像読取センサーを有し、前記画像読取センサーを前記読取位置に固定した状態で前記原稿搬送部により搬送されて前記読取位置を通過する原稿の画像を読み取る原稿搬送読取、および前記画像読取センサーを副走査方向に往復移動させて前記コンタクトガラスに載置された原稿の画像を読み取る原稿固定読取が可能な画像読取部と、前記画像読取部が読み取った原稿の画像からなる画像データを記憶する記憶部と、前記原稿搬送部による原稿の搬送動作および前記画像読取部による原稿の読取動作を制御する動作制御部であって、１回の前記原稿搬送読取または前記原稿固定読取により前記画像読取部が読み取った原稿の画像からなる画像データを前記記憶部に記憶させる通常読み取りモード、および前記原稿搬送部と前記画像読取部とを制御して前記原稿搬送読取または前記原稿固定読取を指定された回数行わせ、前記指定された回数の前記原稿搬送読取または前記原稿固定読取により前記画像読取部が読み取った原稿の画像からなる画像データを前記記憶部に記憶させる連続読み取りモードを有する動作制御部と、前記動作制御部が前記通常読み取りモードまたは前記連続読み取りモードの何れの動作モードで動作するのかを設定する動作設定を受け付ける受付部と、前記原稿搬送部内の紙詰まりの発生および解除を検出するジャム検出部と、を備え、前記動作制御部は、前記原稿搬送読取の際に前記ジャム検出部が前記紙詰まりの発生を検出した場合、前記通常読み取りモードまたは前記連続読み取りモードの何れの動作モードが設定されているのかを判別し、前記通常読み取りモードが設定されているときには、動作モードを前記通常読み取りモードから前記連続読み取りモードへ切り替えて、その後ユーザーからの指示に応じて前記原稿搬送読取または前記原稿固定読取により前記画像読取部に原稿を読み取らせる、画像読取装置である。
【０００８】
また、本発明における画像形成装置は、上記の画像読取装置と、上記の画像読取装置が読み取った原稿の画像からなる画像データに基づき、記録媒体上に画像を形成する画像形成部と、を備える画像形成装置である。
【発明の効果】
【０００９】
本発明によれば、搬送読取方式で原稿を読み取っている際に原稿搬送部内で紙詰まりが発生した場合に、残りの原稿を原稿毎にユーザーが指定する原稿固定読取または原稿搬送読取の読み取り方法のいずれか適切な方法で読み取るとともに、読み取った複数の画像からなる１つの画像データを生成することが可能となる。
【図面の簡単な説明】
【００１０】
【図１】本発明の一実施形態にかかる画像読取装置を備えた画像形成装置を示す斜視図である。
【図２】本発明の一実施形態にかかる画像読取装置の構造を示す側面断面図である。
【図３】本発明の一実施形態にかかる画像読取装置の主要内部構成を示す機能ブロック図である。
【図４】（Ａ）は、本発明の一実施形態にかかる画像読取装置の表示部に表示される設定画面の一例を示す図であり、（Ｂ）は、表示部に表示される操作画面の一例を示す図である。
【図５】本発明の一実施形態にかかる画像読取装置の画像読取動作の流れを示すフローチャートである。
【図６】本発明の一実施形態にかかる画像読取装置の表示部に表示される報知画面の一例を示す図である。
【図７】（Ａ）は、本発明の一実施形態にかかる画像読取装置の表示部に表示される報知画面の一例を示す図であり、（Ｂ）は、一般的な画像読取装置の表示部に表示される画面の一例を示す図である。
【発明を実施するための形態】
【００１１】
以下、本発明の一実施形態にかかる画像読取装置、およびこれを備えた画像形成装置について図面を参照して説明する。図１は、本発明の一実施形態にかかる画像読取装置を備えた画像形成装置を示す斜視図である。
【００１２】
画像形成装置１は、ファクシミリ通信機能、コピー機能、プリンター機能、およびスキャナー機能などの複数の機能を兼ね備えた複合機である。図１に示すように、画像形成装置１は、装置本体８０と、装置本体８０の上方に配置された画像読取装置１０とから概略構成される。
【００１３】
装置本体８０の外郭を構成する筐体８１の内部には、不図示の給紙部や画像形成部などが収容されている。画像形成部は、画像読取装置１０が生成した画像データに基づき、給紙部から搬送された記録紙上に画像を形成する。画像形成済みの記録紙は、定着処理が施された後に排出トレイ８２に排出される。
【００１４】
装置本体８０の筐体８１の前面には、操作部９１および表示部９２が配置されている。表示部９２は、液晶ディスプレイ（ＬＣＤ：Liquid Crystal Display）や有機ＥＬ（ＯＬＥＤ：Organic Light-Emitting Diode）ディスプレイを含んで構成される。また、操作部９１は、表示部９２に表示される画面に対する操作をユーザーから受け付ける複数の操作キーである。表示部９２の前面にタッチパネルが設けられている場合、当該タッチパネルが操作部９１となる。
【００１５】
操作部９１などを用いたユーザー操作により、画像形成装置１や画像読取装置１０には、画像形成指示や画像読取指示などが入力される。当該入力された指示は、後述する受付部１０４により受け付けられる。
【００１６】
図２は、本発明の一実施形態にかかる画像読取装置１０の構造を示す側面断面図である。画像読取装置１０は、画像読取部３０と、画像読取部３０の上方に配置された原稿搬送部２０とを備えている。
【００１７】
原稿搬送部２０は、給紙ローラーおよび搬送ローラーなどからなる駆動機構２３により、原稿トレイ２１に載置された原稿束を１枚ずつ繰り出して原稿読取スリット３６に対向する位置（読取位置）へ搬送し、原稿読取スリット３６を介して画像読取部３０による読取を可能とした後、原稿を原稿排出部２２へと排出する。
【００１８】
画像読取部３０は、本体フレーム３８に設けられた開口にコンタクトガラス３７が嵌め込まれている。コンタクトガラス３７は、上記の読取位置とは異なる位置に配置されており、その上面には読み取り対象の原稿が載置される。このように、コンタクトガラス３７は原稿載置台としての役割を果たす。
【００１９】
本体フレーム３８内におけるコンタクトガラス３７の下面側には、主走査方向（図中の奥行き方向）に延びた読取ユニット４０が設けられている。読取ユニット４０は、赤色ＬＥＤ、緑色ＬＥＤ、青色ＬＥＤの複数のＬＥＤ等から構成された発光部（不図示）と、ＣＭＯＳ（Complementary Metal Oxide Semiconductor）イメージセンサー等の受光部（不図示）とから構成された画像読取センサーであり、副走査方向（図中の矢印Ｙ方向）に移動可能に設けられている。
【００２０】
画像読取装置１０は、原稿の読取方式として、原稿搬送読取方式および原稿固定読取方式をともに具備する。原稿固定読取では、モーターやギアなどからなる読取ユニット駆動部（不図示）により読取ユニット４０が副走査方向に往復移動して、コンタクトガラス３７に載置された原稿を読み取る。一方、原稿搬送読取では、読取ユニット４０を原稿読取スリット３６に対向する読取位置に固定した状態で、原稿搬送部２０により搬送されて読取位置を通過する原稿を読み取る。
【００２１】
読取ユニット４０は、読み取った原稿を示す画像データを、ＲＡＷ（Raw image format）形式やＰＮＧ（Portable Network Graphics）などの可逆圧縮の画像形式で後述する画像メモリ４１（図３参照）に記憶させる。
【００２２】
図３は、画像読取装置１０の主要内部構成を示す機能ブロック図である。画像読取装置１０は、原稿搬送部２０、原稿検知センサー２４、画像読取部３０、画像メモリ４１、記憶部４２、操作部９１、表示部９２、および制御ユニット１００を備えて構成される。図１と同じ構成要素には同じ番号を付し、説明を省略する。
【００２３】
原稿検知センサー２４は、原稿トレイ２１に設置されているトレイセンサー、駆動機構２３のピックアップローラーの近傍に設置される給紙センサー、駆動機構２３の搬送ローラーの近傍に設置されるレジストセンサー、および駆動機構２３の排出ローラーの近傍に設置される排出センサーなどである。
【００２４】
画像メモリ４１は、画像読取部３０が原稿を読み取って生成した画像データなどを一時的に保存するメモリである。記憶部４２は、ＨＤＤ（Hard Disk Drive）などの大容量の記憶装置である。記憶部４２には、画像形成装置１や画像読取装置１０の動作に必要なプログラムやデータが記憶されている。
【００２５】
制御ユニット１００は、ＣＰＵ（Central Processing Unit）やＤＳＰ（Digital Signal Processor）などのプロセッサー、およびＲＡＭ（Random Access Memory）やＲＯＭ（Read Only Memory）などのメモリを含んで構成される。制御ユニット１００は、上記のメモリまたは記憶部４２などに記憶された画像切出制御プログラムなどの制御プログラムが上記のプロセッサーに実行されることにより、制御部１０１、動作制御部１０２、ジャム検出部１０３、受付部１０４、および表示制御部１０５として機能する。なお、制御ユニット１００の上記の各構成は、前述の制御プログラムに基づく動作によらず、それぞれハード回路により構成されてもよい。
【００２６】
制御部１０１は、画像読取装置１０および画像形成装置１の全体的な動作制御を司る。
【００２７】
表示制御部１０５（報知部）は、表示部９２による設定画面や報知画面の表示動作を制御する機能を有する。
【００２８】
受付部１０４は、操作部９１を用いて入力された指示や設定を受け付ける機能を有する。
【００２９】
動作制御部１０２は、原稿搬送部２０による原稿の搬送動作および画像読取部３０による原稿の読取動作を制御する機能を有する。動作制御部１０２は、動作モードとして、通常読み取りモードと連続読み取りモードとを有する。通常の読み取りモードは、１回の原稿搬送読取または原稿固定読取により画像読取部３０が読み取った原稿の画像からなる画像データを記憶部４２に記憶させる動作モードである。また、連続読み取りモードは、原稿搬送読取または原稿固定読取を設定された回数行い、設定された回数の原稿搬送読取または原稿固定読取により画像読取部３０が読み取った原稿の画像からなる画像データを記憶部４２に記憶させる動作モードである。
【００３０】
図４（Ａ）は、表示部９２に表示される設定画面の一例を示す図である。設定画面Ｄ１は、通常読み取りモードまたは連続読み取りモードの何れの動作モードで原稿の読み取りを行うかを設定するための画面である。設定画面Ｄ１は、原稿の読み取り動作を行う前に表示部９２に表示される。受付部１０４は、設定画面Ｄ１に対して操作部９１を用いて入力された操作に基づいて、動作制御部１０２が通常読み取りモードまたは連続読み取りモードの何れの動作モードで動作するのかを設定する動作設定を受け付ける。動作制御部１０２は、受付部１０４が受け付けた動作設定に示される動作モードで原稿の読み取りを行わせる。
【００３１】
連続読み取りモードでは、原稿搬送読取または原稿固定読取が行われる毎に、図４（Ｂ）に示す操作画面Ｄ２が表示される。ユーザーは、次に読み取らせたい原稿を原稿トレイ２１またはコンタクトガラス３７にセットして、操作画面Ｄ２に示されるボタンｄ１を押下する。これにより、原稿トレイ２１またはコンタクトガラス３７にセットされた原稿が画像読取部３０により読み取られる。一方、受付部１０４が操作画面Ｄ２に示されるボタンｄ２の押下操作を受け付けた場合、動作制御部１０２は、原稿の連続読み取りを終了して、当該原稿の連続読み取りで画像読取部３０が読み取った全ての原稿画像からなる画像データを記憶部４２に記憶させる。なお、動作制御部１０２は、記憶部４２に上記の画像データを記憶させるとともに、画像読取装置１０とネットワークを介して接続された他のＰＣ（Personal Computer）などに画像データを送信させてもよい。
【００３２】
ジャム検出部１０３は、原稿検知センサー２４から出力される出力信号に基づき、原稿搬送部２０内の紙詰まりの発生および解除を検出する機能を有する。
【００３３】
続いて、上記の構成を備える画像読取装置１０の動作の流れを説明する。図５は、画像読取装置１０の画像読取動作の流れを示すフローチャートである。
【００３４】
受付部１０４が原稿搬送読取による原稿の読取指示を受け付けると（ステップＳ１０においてＹＥＳ）、動作制御部１０２は、原稿搬送部２０に原稿トレイ２１に載置されている原稿を搬送させるとともに（ステップＳ１１）、画像読取部３０を読取位置に移動させて、画像読取部３０に読取位置を通過する原稿を読み取らせる（ステップＳ１２）。
【００３５】
このステップＳ１１およびステップＳ１２の処理を、原稿トレイ２１に載置された全ての原稿の読み取りが完了するまで繰り返し(ステップＳ１４)、全ての原稿の読み取りが完了した場合、動作制御部１０２は、読み取り処理で得られた原稿の画像からなる画像データを記憶部４２に記憶させる（ステップＳ１５）。
【００３６】
上記の原稿搬送読取による原稿の読取動作の際にジャム検出部１０３により紙詰まりが検出された場合（ステップＳ１３においてＹＥＳ）、表示制御部１０５は、表示部９２に報知画面Ｄ３（図６参照）を表示させて、ユーザーに紙詰まりが発生したことを報知する（ステップＳ１６）。
【００３７】
その後、ジャム検出部１０３が紙詰まりの解消を検出した場合（ステップＳ１７においてＹＥＳ）、動作制御部１０２は、現在の動作モードが通常読み取りモードであるか、連続読み取りモードであるかを判定する（ステップＳ１８）。
【００３８】
動作モードが連続読み取りモードに設定されている場合（ステップＳ１８においてＹＥＳ）、動作制御部１０２は、受付部１０４が受け付けるユーザー指示に応じて、原稿搬送部２０および画像読取部３０の動作を制御して、連続読み取りモードで残りの原稿を読み取らせる（ステップＳ１９）。
【００３９】
一方、動作モードが通常読み取りモードに設定されている場合（ステップＳ１８においてＮＯ）、動作制御部１０２は、動作モードを通常読み取りモードから連続読み取りモードへ切り替える（ステップＳ２０）。また、表示制御部１０５は、表示部９２に報知画面Ｄ４（図７（Ａ）参照）を表示させて、ユーザーに、動作モードが連続読み取りモードへ切り替わり、原稿搬送読取に加えて原稿固定読取により原稿の読み取りが可能になった旨を報知する（ステップＳ２１）。
【００４０】
報知画面Ｄ４において受付部１０４が原稿の読取指示を受け付けると（ステップＳ２２においてＹＥＳ）、動作制御部１０２は、原稿搬送部２０および画像読取部３０の動作を制御して、原稿搬送読取または原稿固定読取により、連続読み取りモードで原稿を読み取らせる（ステップＳ２３）。原稿搬送部２０内から取り出された用紙がコンタクトガラス３７に載置された場合、画像読取装置１０に設けられたセンサーにより当該用紙が検出される。この状態で受付部１０４が原稿の読取指示を受け付けると、動作制御部１０２は、原稿固定読取により原稿を読み取らせる。また、原稿搬送部２０内から取り出された用紙が原稿トレイ２１に載置された場合、画像読取装置１０に設けられたセンサーにより当該用紙が検出される。この状態で受付部１０４が原稿の読取指示を受け付けると、動作制御部１０２は、原稿搬送読取により原稿を読み取らせる。このように、ステップＳ２３の処理では、ユーザーからの指示に応じて原稿搬送読取または原稿固定読取により画像読取部３０が原稿の画像を読み取っている。当該ステップＳ２３の処理は、報知画面Ｄ４において受付部１０４が連続読取の終了指示を受け付けるまで繰り返される（ステップＳ２４）。
【００４１】
受付部１０４が連続読取の終了指示を受け付けると（ステップＳ２４においてＹＥＳ）、動作制御部１０２は、通常読み取りモードで読み取った原稿の画像、および連続読み取りモードで読み取った原稿の画像からなる画像データを記憶部４２に記憶させる（ステップＳ２５）。また、動作制御部１０２は、動作モードを、連続読み取りモードから通常読み取りモードに戻す処理を行う（ステップＳ２６）。
【００４２】
紙詰まりが発生して原稿搬送部２０内から取り出された原稿は、しわなどの傷が付いている場合がある。このような原稿を原稿搬送読取で読み取った場合、再度紙詰まりが発生する可能性がある。一般的な画像読取装置では、紙詰まりが解消された場合、図７（Ｂ）に示すような報知画面Ｄ５が表示部に表示され、しわなどの傷が付いて紙詰まりを引き起こす可能性がある原稿を原稿搬送読み取りで読み取ることになる。この点、上記の画像読取装置１０によれば、このようなしわなどの傷が付いて紙詰まりを引き起こす可能性がある原稿については、紙詰まりの解消後にユーザーが読み取り設定を変更することなく、コンタクトガラス３７に載置して原稿固定読取により読み取ることが可能となる。
【００４３】
また、紙詰まりが発生した場合に、原稿の読み取り方式を搬送読取方式から固定読取方式へ切り替える技術が知られているが、当該技術では、固定読取方式で残りの原稿を読み取らせた場合、原稿の読み取り毎に１枚の原稿からなる画像データが生成されてしまい、複数の原稿の画像からなる１つの画像データを生成することができない。この点、上記の画像読取装置１０によれば、紙詰まりの解消後にユーザーが設定を変更することなく動作モードが連続読み取りモードに変更されるため、原稿搬送読取ではなく原稿固定読取により読み取った複数の原稿の画像を１つの画像データにまとめることができる。
【００４４】
また、上記の画像読取装置１０によれば、紙詰まりにより傷ついた原稿については、固定読取方式で読み取るが、その他の傷ついていない原稿については、搬送読取方式で読み取るというように、フレキシブルな選択で原稿の読み取りを継続することができる。
【００４５】
なお、本発明は、上記の実施の形態の構成に限られず種々の変形が可能である。
【００４６】
動作制御部１０２は、原稿搬送読取の際に紙詰まりが発生して、動作モードが通常読み取りモードから連続読み取りモードへ切り替わった場合、切り替え直後の一枚の原稿の読み取りにおいて、原稿搬送読取による読み取りを制限してもよい。この場合、原稿固定読取による原稿の読み取りのみが可能となる。また、切り替え直後の一枚の原稿以外については、原稿搬送読取または原稿固定読取の両方の読み取りが可能となる。
【００４７】
連続読み取りモードへの切り替え直後に読み取られる原稿は、紙詰まりを引き起こし原稿搬送部２０内から取り出された原稿である。上記の処理によれば、このような紙詰まりを引き起こした原稿について、原稿固定読取による読み取りのみを可能とすることで、再度紙詰まりが引き起こされる事態を回避することができる。
【符号の説明】
【００４８】
１     画像形成装置
１０   画像読取装置
２０   原稿搬送部
２１   原稿トレイ
２４   原稿検知センサー
３０   画像読取部
３７   コンタクトガラス
４０   読取ユニット
４１   画像メモリ
４２   記憶部
９１   操作部
９２   表示部
１００ 制御ユニット
１０１ 制御部
１０２ 動作制御部
１０３ ジャム検出部
１０４ 受付部
１０５ 表示制御部
【図１】
2018037899.tif 000003
【図２】
2018037899.tif 000004
【図３】
2018037899.tif 000005
【図４】
2018037899.tif 000006
【図５】
2018037899.tif 000007
【図６】
2018037899.tif 000008
【図７】
2018037899.tif 000009